(57)【要約】【課題】複数のカタログを、開孔部を利用して綴じ込む場合に、見開きのカタログを開くことを考慮して綴じ込むことが可能であり、必要に応じてカタログの脱着を容易に行うことができるものを提供する。【解決手段】折曲部１１で折り曲げ可能であって、カタログを収納可能な形状を有する保護部材１の折曲部１１付近の上端側に、折曲部１の折曲線１２を境として一方に開孔部１３を設けて、他方に該開孔部１３と先端部２１が組み合う矢印状の綴具２を切抜加工により設け、該綴具２の先端部２１を、通常は開孔部１３より大きな寸法を有するが圧によって開孔部１３を通り抜けできるように変形可能なものとして形成する。【選択図】　図１
2004114560.tif 000002
【特許請求の範囲】
【請求項１】
折曲部で折り曲げ可能であって、カタログを収納可能な形状を有する保護部材の折曲部付近の上端側に、折曲部の中心線を境として一方に開孔部を設けて、他方に該開孔部と先端部が組み合う矢印状の綴具を切抜加工により設け、該綴具の先端部を、通常は開孔部より大きな寸法を有するが圧によって開孔部を通り抜けできるように変形可能なものとして形成したことを特徴とする、綴具付ファイル。
【請求項２】
先端部に開孔を設けた、請求項１に記載の綴具付ファイル。
【請求項３】
切抜加工による綴具を、保護部材の折曲部の上端側を基準として、先端部側が下方向に向かうように形成した、請求項１または２に記載の綴具付ファイル。
【請求項４】
綴具の矢印部分の本体の長さが、見開きのカタログを開くことを考慮してスペースを持たせて綴じられる長さであることを特徴とする、請求項１〜３のいずれか一つに記載の綴具付ファイル。
【発明の詳細な説明】
【０００１】
【発明が属する技術分野】
【０００２】
本発明は綴具付ファイルに関し、特に、出前のメニューやピザの宅配のメニュー等のカタログの収納に適した綴具付ファイルに関する。
【０００３】
【従来の技術】
【０００４】
一般に、出前のメニューやピザの宅配のメニュー等のカタログの大きさや形状は、各店舗によって大きく異なり、一枚の紙のものや二つ折りのもの等、種々のものが存在している。
従来、このような大きさや形状が異なる複数のカタログを収納するのに適した綴具付ファイルは、存在しなかった。
【０００５】
すなわち、大きさや形状が異なる複数のカタログを、上端側に形成された開孔部を利用して綴じ込む場合に、見開きのカタログを開くことを考慮した上で、必要に応じてカタログの脱着が容易であることまでを考慮した綴具付ファイルは存在していなかった。
【０００６】
【発明が解決しようとする課題】
【０００７】
従って、本発明の解決しようとする課題は、大きさや形状が異なる複数のカタログを、開孔部を利用して綴じ込む場合に、見開きのカタログを開くことを考慮して多少のスペースを持たせて綴じられるようにした上で、必要に応じてカタログの脱着が容易であることまでを考慮した使い勝手に優れた綴具付ファイルを提供することにある。
【０００８】
【課題を解決するための手段】
【０００９】
本発明の課題を解決するための手段は、下記の通りである。
【００１０】
第１に、折曲部で折り曲げ可能であって、カタログを収納可能な形状を有する保護部材の折曲部付近の上端側に、折曲部の中心線を境として一方に開孔部を設けて、他方に該開孔部と先端部が組み合う矢印状の綴具を切抜加工により設け、該綴具の先端部を、通常は開孔部より大きな寸法を有するが圧によって開孔部を通り抜けできるように変形可能なものとして形成したことを特徴とする、綴具付ファイル。
第２に、先端部に開孔を設けた、上記第１に記載の綴具付ファイル。
第３に、切抜加工による綴具を、保護部材の折曲部の上端側を基準として、先端部側が下方向に向かうように形成した、上記第１または２に記載の綴具付ファイル。
第４に、綴具の矢印部分の本体の長さが、見開きのカタログを開くことを考慮してスペースを持たせて綴じられる長さであることを特徴とする、上記第１〜３のいずれか一つに記載の綴具付ファイル。
【００１１】
本発明における綴具付ファイルの折曲部としては、一枚の紙状物を二つ折りにし、上から見てＶ字状にした際に生じる直線状の形態の他に、一枚の紙状物の折れ目が付かないように折り曲げ、上から見てＵ字状にした際に生じる曲面状の形態のものを含む。
また、２枚の紙状物の端部に背表紙状のものを取り付け、一枚の紙状物を二つ折にしたような形態にする場合には、背表紙状の部分が、本発明における綴具付ファイルの折曲部に相当する。
【００１２】
本発明におけるカタログを収納可能な形状の保護部材とは、折曲部によって折り曲げられた状態で、カタログを間に挟み込むようにして収納可能な大きさを有するものであればよく、ポリプロピレン、ポリエチレン、硬質ビニール等の折り曲げ可能であって、耐水性を有する材質のもので形成するのが好ましい。
【００１３】
本発明における綴具は、圧をかけたときに容易に変形する、保護部材と同様の素材によって形成され、先端側に、通常は開孔部より大きな寸法を有するが圧によって開孔部を通り抜けできるように変形可能な先端部を設けたものであり、該先端部には開孔を設けることが好ましい。
本発明における綴具について、先端部に開孔を設ける場合に、開孔の形状については限定されることなく、丸型、楕円型、三角型、四角型等の各種の形状を採用でき、開孔自体は必ず閉塞している必要はない。
【００１４】
ここで、先端部に開孔を設けることで、内側は空間なので、手の指で開孔である輪をつぶすように圧をかけた場合に、容易に開孔部を通り抜けできるように変形させることが可能となり、カタログの脱着も容易となる。
さらに、開孔を設けた先端部は、綴具付ファイルを吊り下げて保存することを可能にする。
特に、吊り下げて保存した場合には、より人目につきやすくなり、必要な際に綴具付ファイル自体を探す手間を省くことができる。
【００１５】
なお、本発明において、保護部材に綴具を設ける際の切抜加工とは、使用の際に、保護部材から容易に引き起こせるように加工したものをいい、完全に切り離されたものに限定されず、ミシン目状のものを含み、切り抜き、切り込み、打ち抜き等によって加工した場合が含まれる。
また、切抜加工による綴具を、保護部材の折曲部の上端側を基準として、先端部側が下方向に向かうように形成するとは、先端部の開孔を介して綴具付ファイルを吊り下げて保存する場合に、斜めになって吊り下げられることを考慮し、吊り下げた状態で綴具に無理な力がかかることがなく、綴具の先端部との反対側となる保護部材との一体側が、自重により切り裂かれたりすることを防止することを考慮して形成されたものであればよい。
具体的には、切抜加工による綴具を、保護部材の折曲部の上端側を基準として、先端部側が斜め下方向に向かうように形成することがより好ましい。
【００１６】
【実施例】
【００１７】
以下に、図面を参照しながら、本発明の一実施例について説明する。
【００１８】
図１は、本発明の綴具付ファイルの一実施例の説明図である。
図２は、本発明の綴具付ファイルの要部の説明図である。
【００１９】
本実施例の綴具付ファイルは、一枚の紙状物を二つ折りにした際に生じる折曲部１１の直線状の折曲線１２によって折り曲げ可能であって、カタログを収納可能な形状の保護部材１の折曲部１１付近の上端側に、折曲部１１の折曲線１２を境として一方に開孔部１３を設けたものである。
該保護部材１は、折曲部１１によって折り曲げられた状態で、カタログを間に挟み込むようにして収納可能な大きさを有するシート状のポリプロピレンを加工したもので形成されている。
【００２０】
また、保護部材１の他方には、該開孔部１３と組み合う矢印状の綴具２を切抜加工により設けたものである。
該綴具２は、綴具２を形成する切り抜きを、保護部材１の折曲部１１の上端側を基準として、先端部側が斜下方向に向かうように形成されている。
該綴具２の先端部２１は、丸型の開孔２２を有し、通常は開孔部１３より大きな寸法を有するが圧によって開孔部１３を通り抜けできるように変形可能に形成されている。
先端部２１は、開孔部１３より大きな寸法の三角型に形成したものであり、底辺部分２１ａがストッパーの役割を果たしている。
該綴具２は、開孔部１３に組み合わせてカタログを綴じ込む場合に、見開きのカタログを開くことを考慮してスペースを持たせて綴じられるようにしたものである。
すなわち、該綴具２の矢印部分の本体２３の長さは、見開きのカタログを開くことを考慮して、綴じた際にスペースを持つような長さとなるように形成されている。
【００２１】
次に、上記の綴具付ファイルの使用法について説明する。
【００２２】
まず、出前のメニューやピザの宅配のメニュー等のサイズが異なる複数のカタログの折曲部付近の上端側に、保護部材１と同様に開孔部を設ける。
そして、開孔部を設けたカタログを、保護部材１に挟み込む。
その後、綴具２を保護部材１から引き起こし、該綴具２の先端部２１を、まず、カタログに設けた開孔部に通し、更に、保護部材１の開孔部１３に通す。
この際、綴具２の先端部２１を手の指で開孔である輪をつぶすように圧をかけると、先端部２１は、開孔２２の存在により容易に開孔部１３を通り抜けできるように変形させることができる。
【００２３】
各家庭において、先端部２１の開孔２２を介して綴具付ファイルを吊り下げて保存することで、より人目につきやすくなり、必要な際に綴具付ファイル自体を探す手間を省くことができる。
【００２４】
ここで、先端部２１の開孔２２を介して綴具付ファイルを吊り下げて保存する場合は、カタログ類の自重が綴具２にかかるが、綴具２を形成する切り抜きを、保護部材１の折曲部１１の上端側を基準として、先端側が斜下方向に向かうように形成されているので、綴具２に無理な力がかかることがなく、綴具２の先端部２１との反対側となる保護部材１との一体側が、自重により切り裂かれたりすることを防止できる。
【００２５】
【発明の効果】
【００２６】
本発明によれば、複数のカタログを、開孔部を利用して綴じ込む場合に、見開きのカタログを開くことを考慮して綴じ込むことが可能であり、必要に応じてカタログの脱着を容易に行うことができ、使い勝手に優れている。
【図面の簡単な説明】
【図１】本発明の綴具付ファイルの一実施例の説明図である。
【図２】本発明の綴具付ファイルの要部の説明図である。
【符号の説明】
１　保護部材
２　綴具
１１　折曲部
１２　折曲線
１３　開孔部
２１　先端部
２１ａ　ストッパー
２２　開孔
２３　矢印部分の本体
【図１】
2004114560.tif 000003
【図２】
2004114560.tif 000004